(57)【要約】【課題】押し子がドーム接点の最適位置を常に正確に押圧できるスイッチ構造を提供すること。【解決手段】スイッチ構造体１０は、接点体２００と、押し子体１００とを備えている。接点体２００は、ドーム接点２１０と、支持体２２０とを備えている。支持体２２０には、第１位置決め孔２２２が設けられている。押し子体１００は、枠部１１０と、複数の弾性支持部１２０と、押し子１３０とを備えている。枠部１１０には、位置決めボス１１２が設けられている。位置決めボス１１２は、第１位置決め孔２２２に挿入されている。弾性支持部１２０の夫々は、枠部１１０と押し子１３０とを連結している。押し子１３０は、上下方向に移動可能となるように弾性支持部１２０に弾性支持されている。押し子１３０は、下方に移動する際に、ドーム接点２１０を押下してドーム接点２１０を反転させる。【選択図】図１
2018120783.tif 000002
【特許請求の範囲】
【請求項１】
接点体と、押し子体とを備えたスイッチ構造であって、
前記接点体は、導電体からなるものであり、
前記接点体は、ドーム接点と、支持体とを備えており、
前記ドーム接点は、上下方向において上方に膨らんだドーム形状を有しており、
前記支持体は、前記ドーム接点を支持しており、
前記支持体には、第１位置決め孔が設けられており、
前記押し子体は、絶縁体からなり、枠部と、複数の弾性支持部と、押し子とを備えており、
前記枠部には、位置決めボスが設けられており、
前記位置決めボスは、前記第１位置決め孔に挿入されており、
前記弾性支持部の夫々は、前記枠部と前記押し子とを連結しており、
前記押し子は、前記上下方向において前記ドーム接点の上方に位置しており、
前記押し子は、前記上下方向に移動可能となるように前記弾性支持部に弾性支持されており、
前記押し子は、前記上下方向において下方に移動する際に、前記ドーム接点を押下して前記ドーム接点を反転させる
スイッチ構造。
【請求項２】
請求項１記載のスイッチ構造であって、
前記複数の弾性支持部は、ｎ（ｎは２以上の自然数）個あり、
前記ｎ個の前記弾性支持部は、前記上下方向と平行であって前記押し子の中心を通る仮想軸に対してｎ回回転対称となるように配置されている
スイッチ構造。
【請求項３】
請求項１又は請求項２記載のスイッチ構造であって、
前記押し子は、前記上下方向において前記ドーム接点から離れて上方に位置している
スイッチ構造。
【請求項４】
請求項１から請求項３までのいずれかに記載のスイッチ構造であって、
前記弾性支持部の夫々は、前記枠部に接続される第１部位と、前記押し子に接続される第２部位とを有しており、
前記第１部位と前記第２部位とは、前記上下方向において互いに異なる位置に位置している
スイッチ構造。
【請求項５】
請求項３記載のスイッチ構造であって、
前記弾性支持部の夫々は、前記枠部に接続される第１部位と、前記押し子に接続される第２部位とを有しており、
前記第２部位は、前記上下方向において前記第１部位よりも上方に位置している
スイッチ構造。
【請求項６】
請求項４又は請求項５記載のスイッチ構造であって、
前記第１部位の前記上下方向における上面及び下面は、凹曲面である
スイッチ構造。
【請求項７】
請求項１から請求項６までのいずれかに記載のスイッチ構造であって、
前記スイッチ構造は基板に接続されるものであり、
前記スイッチ構造は、導電体からなるスペーサを更に備えており、
前記スペーサは、前記上下方向と直交する水平面内に延びる板状の形状を有しており、
前記スペーサは、前記上下方向において前記接点体の下方に位置しており、
前記スペーサは、周縁部と、空隙部と、接続部とを有しており、
前記周縁部には、第２位置決め孔が設けられており、
前記位置決めボスは、前記第２位置決め孔に挿入されており、
前記空隙部は、前記水平面内において前記周縁部に囲まれており、
前記ドーム接点が前記反転した際、前記ドーム接点の頂部は前記空隙部に受容され、
前記接続部は、前記基板に接続されるものである
スイッチ構造。
【発明の詳細な説明】
【技術分野】
【０００１】
本発明は、基板に接続可能なスイッチ構造に関する。
【背景技術】
【０００２】
図１１及び図１２に示されるように、特許文献１には基板９８０に接続されるスイッチ構造９００が開示されている。基板９８０は、第１電極９８２と、第２電極９８４と、孔９８６とを有している。スイッチ構造９００は、接点体９１０と、操作パネル９５０と、押し子９６０とを備えている。接点体９１０は、ドーム接点９１２と、ドーム接点９１２を支持する支持体９１４とを有している。ドーム接点９１２は、上下方向（Ｚ方向）において上方（＋Ｚ側）に膨らんだドーム形状を有している。支持体９１４は、基板９８０の第２電極９８４とＺ方向において接触している。支持体９１４は、位置決め孔９１６を有している。操作パネル９５０は、位置決めボス９５２と、Ｚ方向に貫通する押し子挿入孔９５４とを有している。位置決めボス９５２は、接点体９１０の位置決め孔９１６を介して基板９８０の孔９８６に挿入されている。押し子９６０は、接点体９１０のドーム接点９１２の＋Ｚ側に位置している。押し子９６０は、操作パネル９５０の押し子挿入孔９５４に挿入されている。即ち、押し子９６０は、上下方向と直交する平面（ＸＹ平面）内において操作パネル９５０の押し子挿入孔９５４に空間を介して包囲されている。押し子９６０が下方（−Ｚ側）に移動すると、ドーム接点９１２は押下されて反転し、ドーム接点９１２は基板９８０の第１電極９８２と接触する。これにより、第１電極９８２と第２電極９８４とが電気的に接続される。
【先行技術文献】
【特許文献】
【０００３】
【特許文献１】特開平１０−７４４２７号公報
【発明の概要】
【発明が解決しようとする課題】
【０００４】
特許文献１のスイッチ構造９００の押し子９６０は、ＸＹ平面内において操作パネル９５０の押し子挿入孔９５４に空間を介して包囲されている。即ち、ＸＹ平面内において、押し子挿入孔９５４のサイズは、押し子９６０をスムーズに押圧可能とするために製造バラつきを考慮して押し子９６０のサイズよりも大きくなっている。従って、押し子９６０は、ＸＹ平面内において接点体９１０のドーム接点９１２に対する相対位置がずれる可能性がある。押し子９６０のドーム接点９１２に対する相対位置がずれた状態において押し子９６０が下方に移動する場合、ドーム接点９１２の最適位置を正確に押圧することができないため、良好なクリック感が得られないことや、ドーム接点９１２が意図しない変形を起こすなどの問題が生じる。
【０００５】
そこで、本発明は、押し子がドーム接点の最適位置を常に正確に押圧できるスイッチ構造を提供することを目的とする。
【課題を解決するための手段】
【０００６】
本発明は、第１のスイッチ構造として、
接点体と、押し子体とを備えたスイッチ構造であって、
前記接点体は、導電体からなるものであり、
前記接点体は、ドーム接点と、支持体とを備えており、
前記ドーム接点は、上下方向において上方に膨らんだドーム形状を有しており、
前記支持体は、前記ドーム接点を支持しており、
前記支持体には、第１位置決め孔が設けられており、
前記押し子体は、絶縁体からなり、枠部と、複数の弾性支持部と、押し子とを備えており、
前記枠部には、位置決めボスが設けられており、
前記位置決めボスは、前記第１位置決め孔に挿入されており、
前記弾性支持部の夫々は、前記枠部と前記押し子とを連結しており、
前記押し子は、前記上下方向において前記ドーム接点の上方に位置しており、
前記押し子は、前記上下方向に移動可能となるように前記弾性支持部に弾性支持されており、
前記押し子は、前記上下方向において下方に移動する際に、前記ドーム接点を押下して前記ドーム接点を反転させる
スイッチ構造を提供する。
【０００７】
また、本発明は、第２のスイッチ構造として、第１のスイッチ構造であって、
前記複数の弾性支持部は、ｎ（ｎは２以上の自然数）個あり、
前記ｎ個の前記弾性支持部は、前記上下方向と平行であって前記押し子の中心を通る仮想軸に対してｎ回回転対称となるように配置されている
スイッチ構造を提供する。
【０００８】
また、本発明は、第３のスイッチ構造として、第１又は第２のスイッチ構造であって、
前記押し子は、前記上下方向において前記ドーム接点から離れて上方に位置している
スイッチ構造を提供する。
【０００９】
また、本発明は、第４のスイッチ構造として、第１から第３までのいずれかのスイッチ構造であって、
前記弾性支持部の夫々は、前記枠部に接続される第１部位と、前記押し子に接続される第２部位とを有しており、
前記第１部位と前記第２部位とは、前記上下方向において互いに異なる位置に位置している
スイッチ構造を提供する。
【００１０】
また、本発明は、第５のスイッチ構造として、第３のスイッチ構造であって、
前記弾性支持部の夫々は、前記枠部に接続される第１部位と、前記押し子に接続される第２部位とを有しており、
前記第２部位は、前記上下方向において前記第１部位よりも上方に位置している
スイッチ構造を提供する。
【００１１】
また、本発明は、第６のスイッチ構造として、第４又は第５のスイッチ構造であって、
前記第１部位の前記上下方向における上面及び下面は、凹曲面である
スイッチ構造を提供する。
【００１２】
また、本発明は、第７のスイッチ構造として、第１から第６までのいずれかのスイッチ構造であって、
前記スイッチ構造は基板に接続されるものであり、
前記スイッチ構造は、導電体からなるスペーサを更に備えており、
前記スペーサは、前記上下方向と直交する水平面内に延びる板状の形状を有しており、
前記スペーサは、前記上下方向において前記接点体の下方に位置しており、
前記スペーサは、周縁部と、空隙部と、接続部とを有しており、
前記周縁部には、第２位置決め孔が設けられており、
前記位置決めボスは、前記第２位置決め孔に挿入されており、
前記空隙部は、前記水平面内において前記周縁部に囲まれており、
前記ドーム接点が前記反転した際、前記ドーム接点の頂部は前記空隙部に受容され、
前記接続部は、前記基板に接続されるものである
スイッチ構造を提供する。
【発明の効果】
【００１３】
本発明のスイッチ構造において、押し子は枠部に連結された複数の弾性支持体に支持されている。これにより、押し子は枠部に対して上下方向と直交する水平方向への移動を規制されつつ上下方向への移動が可能となっている。また、枠部の位置決めボスは、接点体の支持体の第１位置決め孔に挿入されている。これにより、上下方向と直交する水平面内において、押し子とドーム接点との正確な位置決めが可能となっている。これらのことから、押し子が下方に移動する際に、ドーム接点の最適位置を常に正確に押圧することができる。従って、特許文献１のスイッチ構造と比較して、本発明のスイッチ構造では常に良好なクリック感が得られ、またドーム接点の意図しない変形も避けられる。
【図面の簡単な説明】
【００１４】
【図１】本発明の第１の実施の形態によるスイッチ構造を示す分解斜視図である。図において、頂部と裾部との境界及び押し子の平板部の端部を点線で示している。
【図２】図１のスイッチ構造に含まれる押し子体を示す上面斜視図である。図において、押し子の平板部の端部を点線で示している。
【図３】図２の押し子体を示す下面斜視図である。
【図４】図２の押し子体を示す上面図である。図において、押し子の平板部の端部を点線で示している。
【図５】図４の押し子体をＡ−Ａ線に沿って示す断面図である。
【図６】図２の押し子体を示す側面図である。
【図７】図２の押し子体を示す別の側面図である。
【図８】本発明の第２の実施の形態によるスイッチ構造を示す分解斜視図である。図において、押し子の平板部の端部を点線で示している。
【図９】図８のスイッチ構造のうち、押し子体を除いた部分を示す上面図である。ここでスイッチ構造は基板に取り付けられている。
【図１０】図９のスイッチ構造をＢ−Ｂ線に沿って示す断面図である。
【図１１】特許文献１のスイッチ構造を示す分解斜視図である。
【図１２】図１１のスイッチ構造をＣ−Ｃ線に沿って示す断面図である。
【発明を実施するための形態】
【００１５】
（第１の実施の形態）
図１を参照すると、本発明の第１の実施の形態によるスイッチ構造１０は、上下方向において基板６００の上面６０２に接続されるものである。本実施の形態における上下方向は、Ｚ方向である。上面６０２は、基板６００の＋Ｚ側の面である。基板６００の上面６０２には、第１電極６１０と、２つの第２電極６２０とが形成されている。本実施の形態の第１電極６１０は、上下方向から見た場合、円形形状を有している。
【００１６】
図１に示されるように、本実施の形態のスイッチ構造１０は、シールドシート８００と、接点体２００と、押し子体１００と、スペーサ４００とを備えている。押し子体１００と、シールドシート８００と、接点体２００と、スペーサ４００とは、上下方向において、この順に並べられている。より詳しくは、スペーサ４００の上方には接点体２００が位置しており、接点体２００の上方にはシールドシート８００が位置しており、シールドシート８００の上方には押し子体１００が位置している。本実施の形態において、上方は＋Ｚ側である。シールドシート８００は樹脂製である。接点体２００は、導電体からなるものである。押し子体１００は、絶縁体からなるものである。スペーサ４００は導電体からなるものである。
【００１７】
図１から理解されるように、本実施の形態のシールドシート８００は、上下方向と直交する水平面内に延びる正方形形状を有している。本実施の形態において、水平面はＸＹ平面である。シールドシート８００の四隅近傍には、孔８１０が夫々設けられている。孔８１０は、シールドシート８００を上下方向に貫通する孔であり、水平面内において円形形状を有している。
【００１８】
図１に示されるように、本実施の形態の接点体２００は、ドーム接点２１０と、支持体２２０とを備えている。
【００１９】
図１において、ドーム接点２１０は、上下方向において上方に膨らんだドーム形状を有している。より詳しくは、本実施の形態のドーム接点２１０は、頂部２１２と、裾部２１８とを有している。
【００２０】
図１から理解されるように、本実施の形態の頂部２１２は、上下方向から見た場合、円形形状を有している。頂部２１２は、円形形状の中心軸上に位置する上端２１５及び下端（図示せず）を有している。頂部２１２の下端は、上下方向において裾部２１８から離れて上方に位置している。本実施の形態の裾部２１８は、上下方向から見た場合、円環形状を有している。頂部２１２の中心軸と裾部２１８の円環形状の中心軸とは一致しており、これらの中心軸は上下方向に対して平行となっている。
【００２１】
図１に示されるように、支持体２２０は、水平面内に延びる板状の形状を有している。より詳しくは、本実施の形態の支持体２２０は、２つの連結梁部２２４と、枠体２２６とを有している。連結梁部２２４は、上下方向と直交する直交方向に延びる長板形状を有している。本実施の形態において、直交方向はＹ方向である。枠体２２６は、上下方向から見た場合、略ロの字状の形状を有しており、スペーサ４００に固定されている。枠体２２６は、直交方向において対向する２つの内面２２７，２２８を有している。内面２２７は、直交方向において内面２２８の＋Ｙ側に位置している。即ち、内面２２８は、直交方向において内面２２７の−Ｙ側に位置している。
【００２２】
図１に示されるように、ドーム接点２１０は、支持体２２０の枠体２２６内に配置されている。即ち、支持体２２０の枠体２２６は、上下方向に沿って見た場合に、ドーム接点２１０を全周に亘って包囲している。
【００２３】
図１に示されるように、支持体２２０は、ドーム接点２１０を支持している。即ち、支持体２２０の連結梁部２２４は、ドーム接点２１０と支持体２２０の枠体２２６とを連結している。より具体的には、連結梁部２２４の一つは枠体２２６の内面２２７から延びてドーム接点２１０の裾部２１８の＋Ｙ側部分に連結されており、連結梁部２２４の残りの一つは枠体２２６の内面２２８から延びてドーム接点２１０の裾部２１８の−Ｙ側部分に連結されている。換言すれば、ドーム接点２１０は、支持体２２０の枠体２２６と連結梁部２２４のみで連結されている。
【００２４】
図１に示されるように、支持体２２０の枠体２２６の四隅近傍には、第１位置決め孔２２２が夫々設けられている。本実施の形態の第１位置決め孔２２２は、上下方向において枠体２２６を貫通する孔であり、上下方向に沿って見た場合、円形形状を有している。
【００２５】
図１から図７までに示されるように、本実施の形態の押し子体１００は、枠部１１０と、押し子１３０と、複数の弾性支持部１２０とを備えている。
【００２６】
図１から図７までに示されるように、本実施の形態の枠部１１０は、上下方向に沿って見た場合、略正方形枠状の形状を有している。枠部１１０は、直交方向において互いに対向する２つの内面１１３，１１４を有している。内面１１３は、直交方向において内面１１４の＋Ｙ側に位置している。即ち、内面１１４は、直交方向において内面１１３の−Ｙ側に位置している。枠部１１０には、２つの位置決めボス１１２が設けられている。位置決めボス１１２は、枠部１１０の四隅のうち対角線上に位置する二隅の下面から下方に突出している。より詳しくは、本実施の形態の位置決めボス１１２は、枠部１１０の四隅のうち、＋Ｘ方向及び＋Ｙ方向の双方と４５°の角度を形成する対角線上に位置する二隅の下面から下方に突出している。本実施の形態において、下方は−Ｚ側である。図１から理解されるように、位置決めボス１１２は、接点体２００の第１位置決め孔２２２に挿入されている。
【００２７】
図１から図７までに示されるように、本実施の形態の押し子１３０は、貫通孔１３８と、平板部１３６と、押圧部１３２とを有している。貫通孔１３８は、押し子１３０を上下方向に貫通する円筒形状の孔である。貫通孔１３８の円筒形状の中心軸とドーム接点２１０の頂部２１２の中心軸とは一致している。平板部１３６は、水平面内に延びる略円盤形状を有しており、弾性支持部１２０に接続される２つの端部１３７を有している。端部１３７は、上下方向に沿って見た場合、円弧状の形状を有している。＋Ｘ側の端部１３７の中心は、直交方向において−Ｘ側の端部１３７の中心よりも＋Ｙ側に位置している。押圧部１３２は、上下方向において平板部１３６の下方に位置している。押圧部１３２は、下方に向かうにつれて直径が徐々に小さくなる逆円錐台形の外形を有しており、上下方向において下面１３４を有している。下面１３４は、下方から見た場合、円環形状を有している。
【００２８】
図１から理解されるように、押し子１３０は、上下方向においてドーム接点２１０の上方に位置している。より詳しくは、本実施の形態の押し子１３０は、上下方向においてドーム接点２１０から離れて上方に位置している。
【００２９】
図１から図５までに示されるように、押し子１３０は、上下方向に移動可能となるように弾性支持部１２０に弾性支持されている。
【００３０】
図１から理解されるように、押し子１３０は、上下方向において下方に移動する際に、接点体２００のドーム接点２１０を押下してドーム接点２１０を反転させるものである。上述のように、本実施の形態の押し子１３０は、上下方向においてドーム接点２１０から離れて上方に位置していることから、押し子１３０が下方に移動する際に押し子１３０の移動距離を十分確保することができ、操作者に明確な操作感覚を与えることができる。
【００３１】
図１から図７までに示されるように、本実施の形態の弾性支持部１２０は、互いに同一形状を有しており、枠部１１０と押し子１３０とを連結している。より詳しくは、本実施の形態の弾性支持部１２０は２個あり、２個の弾性支持部１２０は、上下方向と平行であって押し子１３０の中心を通る仮想軸に対して２回回転対称となるように配置されている。本実施の形態においては、押し子１３０の中心を通る仮想軸は、貫通孔１３８の円筒形状の中心軸と一致しており、上下方向に対して平行となっている。なお、本発明はこれに限定されず、弾性支持部がｎ（ｎは２以上の自然数）個あって、ｎ個の弾性支持部が、上下方向と平行であって押し子１３０の中心を通る仮想軸に対してｎ回回転対称となるように配置されていてもよい。このように弾性支持部が配置されることにより、押し子１３０に対して、下方向のベクトル成分を含み且つ上下方向と平行ではないベクトルの力が作用した場合においても、押し子１３０は水平面内における初期位置を維持しながら下方に移動することができ、ドーム接点２１０の最適位置を常に正確に押圧することができる。
【００３２】
図１から図７までに示されるように、本実施の形態の弾性支持部１２０の夫々は、上下方向に沿って見た場合、略クランク形状を有している。より詳しくは、図１から図７までに示されるように、本実施の形態の弾性支持部１２０のうちの一つは、枠部１１０の内面１１３から−Ｙ方向に延びてから、直角に曲がって−Ｘ方向且つ上方に延び、更に直角に曲がって−Ｙ方向に延びて押し子１３０の平板部１３６の−Ｘ側の端部１３７に接続されている。また、本実施の形態の弾性支持部１２０の残りの一つは、枠部１１０の内面１１４から＋Ｙ方向に延びてから、直角に曲がって＋Ｘ方向且つ上方に延び、更に直角に曲がって＋Ｙ方向に延びて押し子１３０の平板部１３６の＋Ｘ側の端部１３７に接続されている。
【００３３】
図２から図７までに示されるように、本実施の形態の弾性支持部１２０は、枠部１１０に接続される第１部位１２２と、第１角部１２５と、第１直線部１２７と、第２角部１２９と、第２直線部１２８と、押し子１３０に接続される第２部位１２６とを有している。
【００３４】
図１から図４までに示されるように、本実施の形態の第１部位１２２は、枠部１１０の内面１１３，１１４から直交方向において内側に延びている。第１部位１２２は、上下方向において上面１２３及び下面１２４を有している。上面１２３は、上下方向において下面１２４の上方に位置している。第１部位１２２の上下方向における上面１２３及び下面１２４は、凹曲面（凹Ｒ面）である。これにより、上面１２３及び下面１２４を上下方向と直交する平面で構成した場合と比較して、押し子１３０が上下方向に移動する際に第１部位１２２に生じる応力は、枠部１１０と第１部位１２２との接続部分に集中せずに上面１２３及び下面１２４全体に分散することとなり、枠部１１０と第１部位１２２との接続部分の破損が避けられる。
【００３５】
図２から図５までに示されるように、第１角部１２５は、上下方向に沿って見た場合、直角に開いた略扇状の形状を有しており、第１部位１２２と第１直線部１２７とを接続している。
【００３６】
図２から図５までに示されるように、第１直線部１２７は、略平板形状を有しており、第１角部１２５からＸ方向及び上方に延びている。即ち、第１直線部１２７は、Ｘ方向及び上下方向と交差している。
【００３７】
図２から図５までに示されるように、第２角部１２９は、上下方向に沿って見た場合、直角に開いた略扇状の形状を有しており、第１直線部１２７と第２直線部１２８とを接続している。
【００３８】
図２から図５までに示されるように、第２直線部１２８は、平板形状を有しており、第２角部１２９から直交方向に延びている。第２直線部１２８は、第２部位１２６に接続されている。
【００３９】
図１から図４までに示されるように、本実施の形態の第２部位１２６は、水平面内に延びる平板形状を有しており、押し子１３０の平板部１３６の端部１３７から外側に突出している。
【００４０】
図１から図５までから理解されるように、本実施の形態の第１部位１２２と第２部位１２６とは、上下方向において互いに異なる位置に位置している。これにより、押し子１３０が上下方向に移動する際に弾性支持部１２０に生じる応力を、第１部位１２２に集中させずに全体に分散させることができる。
【００４１】
より詳しくは、図１から図５までから理解されるように、本実施の形態の第２部位１２６は、上下方向において第１部位１２２よりも上方に位置している。これにより、押し子１３０が下方に移動する際の押し子１３０の移動距離を確保しながら、スイッチ構造１０の上下方向のサイズ（高さ）の増大を避けることができる。
【００４２】
図５、図６及び図７から理解されるように、押し子１３０の平板部１３６と、弾性支持部１２０の第２角部１２９と、第２直線部１２８と、第２部位１２６とは、上下方向において同じ位置に位置している。
【００４３】
図１に示されるように、スペーサ４００は、水平面内に延びる板状の形状を有している。スペーサ４００は、上下方向において、接点体２００の下方に位置している。より具体的には、本実施の形態のスペーサ４００は、上下方向においてドーム接点２１０の裾部２１８の下方に位置している。
【００４４】
図１を参照すると、本実施の形態のスペーサ４００は、周縁部４１０と、空隙部４２０と、４つの接続部４３０とを有している。スペーサ４００は、接点体２００の支持体２２０に固定されている。より詳しくは、スペーサ４００の周縁部４１０は、接点体２００の支持体２２０の枠体２２６に固定されている。
【００４５】
図１に示されるように、周縁部４１０は、水平面内に延びる平板形状を有している。より具体的には、上下方向に沿って見た場合、本実施の形態の周縁部４１０の外側の形状は、正方形である。図１から理解されるように、周縁部４１０は、上下方向に沿って見た場合、ドーム接点２１０の裾部２１８と部分的に重なっている。より具体的には、スペーサ４００の周縁部４１０とドーム接点２１０の裾部２１８とは、裾部２１８の全周に亘って接触している。
【００４６】
図１に示されるように、空隙部４２０は、上下方向にスペーサ４００を貫通する円形状の孔であり、水平面内において周縁部４１０に囲まれている。即ち、空隙部４２０の周縁は閉じている。図１から理解されるように、ドーム接点２１０の頂部２１２は、上下方向に沿って見た場合、空隙部４２０内に位置している。より具体的には、空隙部４２０の円形孔の中心軸とドーム接点２１０の頂部２１２の中心軸とは一致しており、水平面内において、空隙部４２０の円形孔の直径はドーム接点２１０の裾部２１８の内周の直径よりも大きい。なお、空隙部４２０の円形孔の中心軸と押し子１３０の貫通孔１３８の円筒形状の中心軸とは一致している。
【００４７】
図１に示されるように、接続部４３０は、水平面内に延びる長板形状を有しており、水平面内において周縁部４１０から外側に突出している。より具体的には、本実施の形態の接続部４３０は、周縁部４１０の四辺から外側に夫々突出している。接続部４３０は、基板６００に接続されるものである。より具体的には、直交方向に位置する２つの接続部４３０は、基板６００の第２電極６２０に半田により接続固定されるものである。
【００４８】
図１に示されるように、スペーサ４００の周縁部４１０の四隅近傍には、第２位置決め孔４１２が設けられている。本実施の形態の第２位置決め孔４１２は、上下方向において周縁部４１０を貫通する孔であり、上下方向に沿って見た場合、円形形状を有している。
【００４９】
図１から理解されるように、第１位置決め孔２２２と第２位置決め孔４１２とは、上下方向に沿って見た場合、互いに重なっている。また、押し子体１００の枠部１１０の位置決めボス１１２は、シールドシート８００の孔８１０を介して、第１位置決め孔２２２及び第２位置決め孔４１２に夫々挿入されている。これにより、水平面内において、押し子体１００の押し子１３０と、接点体２００のドーム接点２１０と、スペーサ４００の空隙部４２０とを、互いに適切な相対位置に固定することができる。
【００５０】
基板６００に接続された本実施の形態のスイッチ構造１０の動作について、以下に詳述する。
【００５１】
図１から図７までを参照すると、押し子体１００の押し子１３０が上下方向において下方に移動すると、押し子１３０の押圧部１３２の下面１３４の円環形状の内縁がドーム接点２１０の頂部２１２の上端２１５周辺に接する。この状態で押し子１３０の下方への移動が継続されると、ドーム接点２１０の頂部２１２が押下されてドーム接点２１０は反転することとなる。
【００５２】
前述のように、押し子１３０は複数の弾性支持部１２０により弾性支持されており、また、押し子体１００の枠部１１０の位置決めボス１１２は接点体２００の第１位置決め孔２２２及びスペーサ４００の第２位置決め孔４１２に挿入されている。これにより、押し子１３０が下方に移動する際においては、ドーム接点２１０の最適位置が常に正確に押圧される。これにより、本発明のスイッチ構造１０では、常に良好なクリック感が得られ、またドーム接点２１０の意図しない変形も避けられる。
【００５３】
また前述のように、スペーサ４００の周縁部４１０とドーム接点２１０の裾部２１８とは、裾部２１８の全周に亘って接触している。これにより、ドーム接点２１０の頂部２１２が押下された際には、ドーム接点２１０の裾部２１８の全周がスペーサ４００の周縁部４１０によって支えられながら、ドーム接点２１０の頂部２１２が下方に移動してドーム接点２１０が反転することとなる。よって、ドーム接点２１０の頂部２１２に加えられた押下力は、裾部２１８の全周を介して均等にスペーサ４００の周縁部４１０に分散されるため、常に良好なクリック感が確保され、またドーム接点２１０の意図しない変形も更に避けられる。
【００５４】
図１から理解されるように、ドーム接点２１０が反転した際、ドーム接点２１０の頂部２１２は空隙部４２０に受容される。即ち、ドーム接点２１０の頂部２１２が押下された場合、頂部２１２は空隙部４２０に受容され、且つ、裾部２１８は少なくとも周縁部４１０に接触する。このとき、ドーム接点２１０は弾性変形しており、頂部２１２の下端は上下方向において空隙部４２０の上端よりも下方に位置している。
【００５５】
本実施の形態のスイッチ構造１０の接点体２００のドーム接点２１０が反転した場合、ドーム接点２１０の頂部２１２の下端は、基板６００の第１電極６１０と接触して電気的に接続される。ドーム接点２１０の頂部２１２と基板６００の第１電極６１０とが互いに電気的に接続された場合、前述のようにスペーサ４００の接続部４３０が基板６００の第２電極６２０に接続固定されていることから、基板６００上の第１電極６１０と第２電極６２０との間において接点体２００及びスペーサ４００を介して導通が確保されることとなる。
【００５６】
（第２の実施の形態）
図８、図９及び図１０を参照すると、本発明の第２の実施の形態によるスイッチ構造１０Ａは、上下方向において基板６００Ａの上面６０２Ａに接続されるものである。本実施の形態における上下方向は、Ｚ方向である。上面６０２Ａは、基板６００Ａの＋Ｚ側の面である。基板６００Ａの上面６０２Ａには、第１電極６１０Ａと、３つの第２電極６２０Ａとが形成されている。本実施の形態の第１電極６１０Ａは、上下方向から見た場合、円形形状を有している。
【００５７】
図８に示されるように、本実施の形態のスイッチ構造１０Ａは、シールドシート８００と、接点体２００Ａと、押し子体１００と、スペーサ４００Ａとを備えている。押し子体１００と、シールドシート８００と、接点体２００Ａと、スペーサ４００Ａとは、上下方向において、この順に並べられている。より詳しくは、スペーサ４００Ａの上方には接点体２００Ａが位置しており、接点体２００Ａの上方にはシールドシート８００が位置しており、シールドシート８００の上方には押し子体１００が位置している。本実施の形態において、上方は＋Ｚ側である。本実施の形態のスイッチ構造１０Ａは、接点体２００Ａとスペーサ４００Ａとを除き、上述した第１の実施の形態によるスイッチ構造１０（図１参照）と同様の構成を備えている。そのため、図８に示される構成要素のうち、第１の実施の形態と同様の構成要素に対しては同一の参照符号を付すこととする。
【００５８】
図８、図９及び図１０に示されるように、本実施の形態の接点体２００Ａは、ドーム接点２１０Ａと、支持体２２０Ａとを備えている。
【００５９】
図１０に示されるように、ドーム接点２１０Ａは、上下方向において上方に膨らんだドーム形状を有している。より詳しくは、本実施の形態のドーム接点２１０Ａは、頂部２１２Ａと、裾部２１８Ａとを有している。
【００６０】
図８及び図９に示されるように、本実施の形態の頂部２１２Ａは、上下方向から見た場合、円形形状を有している。図１０に示されるように、頂部２１２Ａは、円形形状の中心軸上に位置する上端２１５Ａ及び下端２１６Ａを有している。頂部２１２Ａの下端２１６Ａは、上下方向において裾部２１８Ａから離れて上方に位置している。本実施の形態の裾部２１８Ａは、上下方向から見た場合、円環形状を有している。頂部２１２Ａの中心軸と裾部２１８Ａの円環形状の中心軸とは一致しており、これらの中心軸は上下方向と平行となっている。
【００６１】
図８及び図９に示されるように、支持体２２０Ａは、上下方向と直交する水平面内に延びる板状の形状を有している。本実施の形態において、水平面はＸＹ平面である。より詳しくは、本実施の形態の支持体２２０Ａは、２つの連結梁部２２４Ａと、枠体２２６Ａとを有している。連結梁部２２４Ａは、上下方向と直交する直交方向に延びる長板形状を有している。本実施の形態において、直交方向はＸ方向である。枠体２２６Ａは、上下方向から見た場合、略ロの字状の形状を有しており、スペーサ４００Ａに固定されている。枠体２２６Ａは、直交方向において対向する２つの内面２２７Ａ，２２８Ａを有している。内面２２７Ａは、直交方向において内面２２８Ａの＋Ｘ側に位置している。即ち、内面２２８Ａは、直交方向において内面２２７Ａの−Ｘ側に位置している。
【００６２】
図８及び図９に示されるように、ドーム接点２１０Ａは、支持体２２０Ａの枠体２２６Ａ内に配置されている。即ち、支持体２２０Ａの枠体２２６Ａは、上下方向に沿って見た場合に、ドーム接点２１０Ａを全周に亘って包囲している。
【００６３】
図８及び図９に示されるように、支持体２２０Ａは、ドーム接点２１０Ａを支持している。即ち、支持体２２０Ａの連結梁部２２４Ａは、ドーム接点２１０Ａと支持体２２０Ａの枠体２２６Ａとを連結している。より具体的には、連結梁部２２４Ａの一つは枠体２２６Ａの内面２２７Ａから延びてドーム接点２１０Ａの裾部２１８Ａの＋Ｘ側部分に連結されており、連結梁部２２４Ａの残りの一つは枠体２２６Ａの内面２２８Ａから延びてドーム接点２１０Ａの裾部２１８Ａの−Ｘ側部分に連結されている。換言すれば、ドーム接点２１０Ａは、支持体２２０Ａの枠体２２６Ａと連結梁部２２４Ａのみで連結されている。
【００６４】
図８及び図９に示されるように、支持体２２０Ａの枠体２２６Ａの四隅近傍には、第１位置決め孔２２２Ａが夫々設けられている。本実施の形態の第１位置決め孔２２２Ａは、上下方向において枠体２２６Ａを貫通する孔であり、上下方向に沿って見た場合、円形形状を有している。
【００６５】
図８及び図９に示されるように、支持体２２０Ａの枠体２２６Ａの−Ｘ側の辺には、接続部２３０が設けられている。接続部２３０は、枠体２２６Ａの−Ｘ側の辺から下方に延びた後、−Ｘ方向に延びている。接続部２３０は、本実施の形態のスイッチ構造１０Ａを基板６００Ａに接続した場合、基板６００Ａの第２電極６２０Ａのうちの一つに接続されるものである。
【００６６】
図８及び図９に示されるように、スペーサ４００Ａは、水平面内に延びる板状の形状を有している。スペーサ４００Ａは、上下方向において、接点体２００Ａの下方に位置している。より具体的には、本実施の形態のスペーサ４００Ａは、上下方向においてドーム接点２１０Ａの裾部２１８Ａの下方に位置している。
【００６７】
図８及び図９に示されるように、スペーサ４００Ａは、周縁部４１０Ａと、空隙部４２０Ａと、２つの接続部４３０Ａとを有している。スペーサ４００Ａは、支持体２２０Ａに固定されている。より詳しくは、スペーサ４００Ａの周縁部４１０Ａは、支持体２２０Ａの枠体２２６Ａに固定されている。
【００６８】
図８及び図９に示されるように、周縁部４１０Ａは、水平面内に延びる平板形状を有している。より具体的には、上下方向に沿って見た場合、本実施の形態の周縁部４１０Ａの外側の形状は、正方形である。図９及び図１０から理解されるように、周縁部４１０Ａは、上下方向に沿って見た場合、ドーム接点２１０Ａの裾部２１８Ａと部分的に重なっている。より具体的には、スペーサ４００Ａの周縁部４１０Ａとドーム接点２１０Ａの裾部２１８Ａとは、裾部２１８Ａの全周に亘って接触している。
【００６９】
図１０から理解されるように、空隙部４２０Ａは、上下方向にスペーサ４００Ａを貫通する円形状の孔である。空隙部４２０Ａは、水平面内において周縁部４１０Ａに囲まれている。即ち、空隙部４２０Ａの周縁は閉じている。ドーム接点２１０Ａの頂部２１２Ａは、上下方向に沿って見た場合、空隙部４２０Ａ内に位置している。より具体的には、空隙部４２０Ａの円形孔の中心軸とドーム接点２１０Ａの頂部２１２Ａの中心軸とは一致しており、水平面内において、空隙部４２０Ａの円形孔の直径はドーム接点２１０Ａの裾部２１８Ａの内周の直径よりも大きい。また、空隙部４２０Ａの円形孔の中心軸と押し子１３０の貫通孔１３８の円筒形状の中心軸とは一致している。
【００７０】
図８及び図９に示されるように、接続部４３０Ａは、水平面内に延びる長板形状を有しており、水平面内において周縁部４１０Ａから外側に突出している。より具体的には、本実施の形態の接続部４３０Ａは、周縁部４１０ＡのＹ方向の２辺から外側に夫々突出している。接続部４３０Ａは、基板６００Ａに接続されるものである。より具体的には、接続部４３０Ａと基板６００Ａの第２電極６２０Ａの残りの２つとは、半田により互いに接続固定されるものである。
【００７１】
図８及び図９に示されるように、スペーサ４００Ａの周縁部４１０Ａの四隅近傍には、第２位置決め孔４１２Ａが設けられている。本実施の形態の第２位置決め孔４１２Ａは、上下方向において周縁部４１０Ａを貫通する孔であり、上下方向に沿って見た場合、円形形状を有している。
【００７２】
図８及び図９から理解されるように、第１位置決め孔２２２Ａと第２位置決め孔４１２Ａとは、上下方向に沿って見た場合、互いに重なっている。また、押し子体１００の位置決めボス１１２は、シールドシート８００の孔８１０を介して、第１位置決め孔２２２Ａ及び第２位置決め孔４１２Ａに夫々挿入されている。これにより、水平面内において、押し子体１００の押し子１３０と、接点体２００Ａのドーム接点２１０Ａと、スペーサ４００Ａの空隙部４２０Ａとを、互いに適切な相対位置に固定することができる。
【００７３】
基板６００Ａに接続された本実施の形態のスイッチ構造１０Ａの動作について、以下に詳述する。
【００７４】
図１から図７までを参照すると、押し子体１００の押し子１３０が上下方向において下方に移動すると、押し子１３０の押圧部１３２の下面１３４の円環形状の内縁がドーム接点２１０Ａの頂部２１２Ａの上端２１５Ａ周辺に接する。この状態で押し子１３０の下方への移動が継続されると、ドーム接点２１０Ａの頂部２１２Ａが押下されてドーム接点２１０Ａは反転することとなる。
【００７５】
前述のように、押し子１３０は複数の弾性支持部１２０により弾性支持されており、また、押し子体１００の枠部１１０の位置決めボス１１２は接点体２００Ａの第１位置決め孔２２２Ａ及びスペーサ４００Ａの第２位置決め孔４１２Ａに挿入されている。これにより、押し子１３０が下方に移動する際においては、ドーム接点２１０Ａの最適位置が常に正確に押圧される。これにより、本発明のスイッチ構造１０Ａでは、常に良好なクリック感が得られ、またドーム接点２１０Ａの意図しない変形も避けられる。
【００７６】
また前述のように、スペーサ４００Ａの周縁部４１０Ａとドーム接点２１０Ａの裾部２１８Ａとは、裾部２１８Ａの全周に亘って接触している。これにより、ドーム接点２１０Ａの頂部２１２Ａが押下された際には、ドーム接点２１０Ａの裾部２１８Ａの全周がスペーサ４００Ａの周縁部４１０Ａによって支えられながら、ドーム接点２１０Ａの頂部２１２Ａが下方に移動してドーム接点２１０Ａが反転することとなる。よって、ドーム接点２１０Ａの頂部２１２Ａに加えられた押下力は、裾部２１８Ａの全周を介して均等にスペーサ４００Ａの周縁部４１０Ａに分散されるため、常に良好なクリック感が確保され、またドーム接点２１０Ａの意図しない変形も更に避けられる。
【００７７】
図１から理解されるように、ドーム接点２１０Ａが反転した際、ドーム接点２１０Ａの頂部２１２Ａは空隙部４２０Ａに受容される。即ち、ドーム接点２１０Ａの頂部２１２Ａが押下された場合、頂部２１２Ａは空隙部４２０Ａに受容され、且つ、裾部２１８Ａは少なくとも周縁部４１０Ａに接触する。このとき、ドーム接点２１０Ａは弾性変形しており、頂部２１２Ａの下端２１６Ａは上下方向において空隙部４２０Ａの上端よりも下方に位置している。
【００７８】
本実施の形態のスイッチ構造１０Ａの接点体２００Ａのドーム接点２１０Ａが反転した場合、ドーム接点２１０Ａの頂部２１２Ａの下端２１６Ａは、基板６００の第１電極６１０と接触して電気的に接続される。ドーム接点２１０Ａの頂部２１２Ａと基板６００Ａの第１電極６１０Ａとが互いに電気的に接続された場合、前述のように接点体２００Ａの接続部２３０は基板６００Ａの第２電極６２０Ａに接続固定されていることから、基板６００Ａ上の第１電極６１０Ａと第２電極６２０Ａとの間において接点体２００Ａを介して導通が確保されることとなる。また、前述のようにスペーサ４００Ａの接続部４３０Ａも基板６００Ａの第２電極６２０Ａに接続固定されていることから、接点体２００Ａ及びスペーサ４００Ａを介した形でも第１電極６１０Ａと第２電極６２０Ａとの間において導通が確保されることとなる。
【００７９】
以上、本発明の実施の形態について具体的に説明してきたが、本発明はこれに限定されるわけではなく、様々に変形することができる。
【００８０】
本実施の形態において、シールドシート８００には、四つの孔８１０が設けられており、接点体２００，２００Ａには四つの第１位置決め孔２２２，２２２Ａが設けられており、スペーサ４００，４００Ａには四つの第２位置決め孔４１２、４１２Ａが設けられていたが、本発明はこれに限定されない。＋Ｘ方向及び＋Ｙ方向の双方と４５°の角度を形成する対角線上に位置する二隅近傍にのみ、孔８１０、第１位置決め孔２２２，２２２Ａ及び第２位置決め孔４１２，４１２Ａが設けられていればよい。但し、本実施の形態のように四つの孔８１０、第１位置決め孔２２２，２２２Ａ及び第２位置決め孔４１２，４１２Ａを有している場合、図１及び図８の押し子体１００を水平面内において９０°回転させた形でも、押し子体１００の位置決めボス１１２をシールドシート８００、接点体２００，２００Ａ及びスペーサ４００，４００Ａの孔８１０、第１位置決め孔２２２，２２２Ａ及び第２位置決め孔４１２，４１２Ａに挿入することができるため、スイッチ構造１０，１０Ａの組立がより容易となり、好ましい。
【符号の説明】
【００８１】
１０，１０Ａ            スイッチ構造  
１００                  押し子体
１１０                  枠部
１１２                  位置決めボス
１１３                  内面
１１４                  内面
１２０                  弾性支持部
１２２                  第１部位
１２３                  上面
１２４                  下面
１２５                  第１角部
１２６                  第２部位
１２７                  第１直線部
１２８                  第２直線部
１２９                  第２角部
１３０                  押し子
１３２                  押圧部
１３４                  下面
１３６                  平板部
１３７                  端部
１３８                  貫通孔
２００，２００Ａ        接点体
２１０，２１０Ａ        ドーム接点
２１２，２１２Ａ        頂部
２１５，２１５Ａ        上端
２１６Ａ                下端
２１８，２１８Ａ        裾部
２２０，２２０Ａ        支持体
２２２，２２２Ａ        第１位置決め孔
２２４，２２４Ａ        連結梁部
２２６，２２６Ａ        枠体
２２７，２２７Ａ        内面
２２８，２２８Ａ        内面
２３０                  接続部
４００，４００Ａ        スペーサ
４１０，４１０Ａ        周縁部
４１２，４１２Ａ        第２位置決め孔
４２０，４２０Ａ        空隙部
４３０，４３０Ａ        接続部
６００，６００Ａ        基板
６０２，６０２Ａ        上面
６１０，６１０Ａ        第１電極
６２０，６２０Ａ        第２電極
８００                  シールドシート
８１０                  孔
【図１】
2018120783.tif 000003
【図２】
2018120783.tif 000004
【図３】
2018120783.tif 000005
【図４】
2018120783.tif 000006
【図５】
2018120783.tif 000007
【図６】
2018120783.tif 000008
【図７】
2018120783.tif 000009
【図８】
2018120783.tif 000010
【図９】
2018120783.tif 000011
【図１０】
2018120783.tif 000012
【図１１】
2018120783.tif 000013
【図１２】
2018120783.tif 000014